(57)【特許請求の範囲】
【請求項１】
加熱調理するための食材を載置して加熱調理器の加熱室内に収容するグリル調理用のグリル皿であって、
平面視四角形状の底面部と、底面部の四方端縁部を囲むように底面部から上方に延びる側壁部とを備え、
対向する一方の１対の側壁部の高さが、他方の１対の側壁部の高さよりも高く形成され、高さの高い側壁部の内壁面で調理物の端部を支持可能であり、
加熱室内に収容されたときに、高さの低い側壁部の一方が加熱室の前後奥側となる後壁に対向して配置され、
高さの低い側壁部の上縁両側端部に、高さの高い側壁部の側縁上端部から連続して起立形成され、調理物の端部に対して熱風が加熱室の後壁側から直接接触するのを防止する遮断壁部が設けられた、グリル皿。
【請求項２】
請求項１に記載のグリル皿において、
底面部は平面視矩形状をしており、
側壁部は長辺側壁部及び短辺側壁部を備え、
短辺側壁部の高さが、長辺側壁部の高さよりも高く形成されていることを特徴とするグリル皿。
【請求項３】
調理物を収容する加熱室と、発熱部を有する発熱室と、発熱室で発生した熱気を加熱室に供給すると共に、加熱室内の空気を循環させる循環ファンとを備え、オーブン調理用のオーブン皿とグリル調理用のグリル皿とを選択して加熱室内に配置可能な加熱調理器であって、
加熱室は、前側から調理物を出し入れする室内の左右側壁における上下中間部に、オーブン皿及びグリル皿を支持する支持棚が前後方向に延びるように凸状に形成され、前後奥側となる後壁の左右に、発熱室で発生した熱気を加熱室内へ吹き出す吹出孔が設けられ、
オーブン皿は、平面視四角形状の底面部とこの底面部の四方端縁部を囲むように底面部から上方に延びる側壁部とを備え、側壁部は上端部に支持棚に載置されるフランジ部を有し、側壁部の高さがフランジ部を支持棚に載置した状態でオーブン皿の底面部と加熱室の底面との間に熱風が通過する空間が形成される高さとし、
グリル皿は、平面視四角形状の底面部と、この底面部の四方端縁部を囲むように底面部から上方に延びる側壁部とを備え、対向する一方の１対の側壁部の高さが、他方の１対の側壁部の高さよりも高く形成され、高さの高い側壁部の内壁面で調理物の端部を支持可能であり、加熱室内に収容されたときに、高さの低い側壁部の一方が加熱室の前後奥側となる後壁に対向して配置され、高さの高い側壁部が加熱室の支持棚に対向して配置され、高さの低い側壁部の上縁両側端部に、高さの高い側壁部の側縁上端部から連続して起立形成され、調理物の端部に対して前記吹出孔から吹き出される熱風が直接接触するのを防止する遮断壁部が設けられ、高さの高い側壁部の上端部にそれぞれ、支持棚に載置されるフランジ部が形成され、支持棚に載置される側壁部の高さは、フランジ部を支持棚に載置した状態でグリル皿の底面部の下面が加熱室の底面に近接して配置され、グリル皿の底面部と加熱室の底面との間に熱風が入りにくい高さとしていることを特徴とする加熱調理器。
【請求項４】
請求項３に記載の加熱調理器において、
加熱室は、前後の奥行きよりも左右方向の幅を長く形成しており、
グリル皿は、長辺部と短辺部を有する平面視矩形状の底面部と、この底面部の四方端縁部を囲むように底面部から上方に延びる長辺側壁部及び短辺側壁部とを備え、長辺側壁部が前後となるように加熱室内に配置され、短辺側壁部の高さが長辺側壁部の高さよりも高く形成されていることを特徴とする加熱調理器。
【発明の詳細な説明】
【技術分野】
【０００１】
本発明は、加熱調理器に使用するグリル調理用のグリル皿、及び、オーブン調理用のオーブン皿とグリル調理用のグリル皿とを選択して使用する熱風循環式の加熱調理器に関する。
【背景技術】
【０００２】
従来から、熱風の循環を利用したコンベクションタイプの加熱調理器が提案されている（例えば、特許文献１参照）。
【０００３】
コンベクションタイプの加熱調理器として、例えば、ガスバーナによりガスを燃焼させて燃焼排ガスを発生させる発熱室と、発熱室と連通して調理物が収容される加熱室と、加熱室の後方に配置される循環ファンとを備えたグリル・オーブン装置がある。このグリル・オーブン装置は、循環ファンの駆動により、加熱室内に発熱室のガスバーナで発生させた燃焼排ガスを熱風として送り込むとともに、熱風を加熱室内に循環させることにより加熱室内全体に熱を迅速に行き渡らせて調理物を間接的に加熱調理するようになっている。
【０００４】
上記コンベクションタイプのグリル・オーブン装置では、通常、オーブン調理を行なう場合には、加熱室内の上下中間位置にオーブン皿を配置し、魚などのグリル調理を行なう場合にも加熱室内の上下中間位置に焼き網を配置し、加熱室の底部に焼き魚の脂等を受ける水皿を配置している。
【先行技術文献】
【特許文献】
【０００５】
【特許文献１】特開平７−２６９８８４号公報
【発明の概要】
【発明が解決しようとする課題】
【０００６】
上記コンベクションタイプのグリル・オーブン装置において、調理物として焼き網の長手方向の長さよりも長い魚を焼き網に載せた場合、魚の一部が加熱室の壁面に接触して、加熱室の壁面に魚の接触した部分が焦げ付いてしまい、魚を取り出した時に一部が切れて見劣りする焼き上がりになる不具合が生じる。
【０００７】
そこで、本発明者は、焼き網を使用せず、直接調理物を載置させるグリル皿を用いることを検討した。この場合、グリル皿の底面の周囲を側壁部で囲って調理物の端部を側壁部で曲げて加熱室の壁面になるべく接触しないようにすることができるが、側壁部の高さを全周に亘って高くすると、コンベクションタイプのグリル・オーブン装置に用いた時、側壁部によって熱風が遮断されて調理物を効率良く焼くことができないし、以下の問題を考慮する必要も生じた。
【０００８】
オーブン調理は、オーブン皿の下方にも空間を設け、加熱室内の温度分布を均一にする必要があるが、グリル調理の場合は、グリル皿の下方にまで熱気が流れることによりグリル皿の温度が直ぐに上昇し、グリル皿に溜まった魚の油が過熱されて大量の油煙が発生してしまう虞がある。
【０００９】
結果として、加熱室内へ配置した時の各皿の配置高さを異なるようにしなければならず、加熱室の側壁に、各皿を保持するための高さの異なる２種類の支持棚を形成すると、清掃が困難となるばかりか、皿の誤使用が生じる虞がある。
【００１０】
本発明は、上記問題点に鑑みなされたものであり、加熱調理器の加熱室の壁面に調理物が接触することを防止できるグリル皿を提供すると共に、調理物が加熱室の壁面に接触することなく、皿の誤使用が無く、グリル調理時に調理物の過熱を防止できる加熱調理器を提供することを目的とする。
【課題を解決するための手段】
【００１１】
上記目的を達成するため本発明は、加熱調理するための食材を載置して加熱調理器の加熱室内に収容するグリル調理用のグリル皿であって、
平面視四角形状の底面部と、底面部の四方端縁部を囲むように底面部から上方に延びる側壁部とを備え、
対向する一方の１対の側壁部の高さが、他方の１対の側壁部の高さよりも高く形成され、高さの高い側壁部の内壁面で調理物の端部を支持可能であり、
加熱室内に収容されたときに、高さの低い側壁部の一方が加熱室の前後奥側となる後壁に対向して配置され、
高さの低い側壁部の上縁両側端部に、高さの高い側壁部の側縁上端部から連続して起立形成され、調理物の端部に対して熱風が加熱室の後壁側から直接接触するのを防止する遮断壁部が設けられる。
【００１２】
本発明のグリル皿によれば、グリル皿の対向する一方の側壁部の高さを、他方の側壁部の高さよりも高く形成することにより、グリル皿上に、グリル皿の底面部の範囲内に収まらない長さを有する調理物を載せても、高さの高い側の側壁部の内壁面に調理物の端部を沿わせて支持させることによりグリル皿から調理物が食み出すのを防止して、調理物の端部が加熱室の壁面に接触しないようにすることができるし、グリル皿を加熱室から出し入れする際も、調理物が加熱室の壁面に接触することなく出し入れできる。その結果、調理物を載置したグリル皿の出し入れが容易になると共に、調理物の焼き上がりもきれいにできる。
しかも、調理中、加熱室内に供給される熱風は、高さの低い側の側壁部によって遮断されることなくグリル皿上の調理物に達するから、調理物をより適切に焼き上げることができる。一方で、高さの低い側壁部の上縁両側端部には、高さの高い側壁部の側縁上端部から連続して遮断壁部が起立形成されているため、高さの高い側の側壁部の内壁面に調理物の端部を沿わせて支持させても、上記熱風は、調理物の端部に直接接触し難い。よって、調理物端部の焼け過ぎも防止できる。
【００１３】
また、本発明のグリル皿は、底面部が平面視矩形状をしており、側壁部が長辺側壁部及び短辺側壁部を備え、短辺側壁部の高さが、長辺側壁部の高さよりも高く形成することが好ましい。
このように、短辺側壁部の高さを、長辺側壁部の高さよりも高く形成することにより、グリル皿上に底面部の長手方向にも収まりきれないような秋刀魚などの長尺な調理物を載せても、短辺側壁部の内壁面に調理物の端部を沿わせて支持させることによりグリル皿から調理物が食み出すのを防止して、調理物の端部が加熱室の壁面に接触しないようにすることができるし、グリル皿を加熱室から出し入れする際も、調理物が加熱室の壁面に接触することなく出し入れできる。その結果、グリル皿上に底面部長手方向に収まりきれない長尺な調理物を載置してもグリル皿の出し入れが容易になると共に、調理物の焼き上がりもきれいにできる。
【００１４】
また、本発明は、調理物を収容する加熱室と、発熱部を有する発熱室と、発熱室で発生した熱気を加熱室に供給すると共に、加熱室内の空気を循環させる循環ファンとを備え、オーブン調理用のオーブン皿とグリル調理用のグリル皿とを選択して加熱室内に配置可能な加熱調理器であって、
加熱室は、前側から調理物を出し入れする室内の左右側壁における上下中間部に、オーブン皿及びグリル皿を支持する支持棚が前後方向に延びるように凸状に形成され、前後奥側となる後壁の左右に、発熱室で発生した熱気を加熱室内へ吹き出す吹出孔が設けられ、
オーブン皿は、平面視四角形状の底面部とこの底面部の四方端縁部を囲むように底面部から上方に延びる側壁部とを備え、側壁部は上端部に支持棚に載置されるフランジ部を有し、側壁部の高さがフランジ部を支持棚に載置した状態でオーブン皿の底面部と加熱室の底面との間に熱風が通過する空間が形成される高さとし、
グリル皿は、平面視四角形状の底面部と、この底面部の四方端縁部を囲むように底面部から上方に延びる側壁部とを備え、対向する一方の１対の側壁部の高さが、他方の１対の側壁部の高さよりも高く形成され、高さの高い側壁部の内壁面で調理物の端部を支持可能であり、加熱室内に収容されたときに、高さの低い側壁部の一方が加熱室の前後奥側となる後壁に対向して配置され、高さの高い側壁部が加熱室の支持棚に対向して配置され、高さの低い側壁部の上縁両側端部に、高さの高い側壁部の側縁上端部から連続して起立形成され、調理物の端部に対して前記吹出孔から吹き出される熱風が直接接触するのを防止する遮断壁部が設けられ、高さの高い側壁部の上端部にそれぞれ、支持棚に載置されるフランジ部が形成され、支持棚に載置される側壁部の高さは、フランジ部を支持棚に載置した状態でグリル皿の底面部の下面が加熱室の底面に近接して配置され、グリル皿の底面部と加熱室の底面との間に熱風が入りにくい高さとしていることを特徴とする。
【００１５】
本発明の加熱調理器によれば、加熱室の側壁に形成した支持棚に載置される側のグリル皿の側壁部の高さを、他方の側壁部の高さよりも高くすると共に、側壁部のフランジ部を支持棚に載置した状態でグリル皿の底面部と加熱室の底面との間に熱風が入りにくい高さとなるように形成しているので、支持棚にグリル皿の側壁部のフランジ部を載せたときに、加熱室の下壁にグリル皿の底面部を近接又は接触させることができ、グリル皿の下方に熱気が流れるのを防止して、グリル皿上の調理物の過熱を防止でき、グリル皿上の調理物を良好に加熱することができる。
また、オーブン皿は、支持棚にオーブン皿の側壁部のフランジ部を載せたときに、オーブン皿の底面部と加熱室の底面との間に熱風が通過する空間が形成されるので、オーブン皿の下方からも熱風により良好にオーブン皿上の調理物を加熱することができる。
さらに、２種類の皿を載置する支持棚を共通化できるので、誤使用を防止することが可能となるし、加熱室の側壁に形成される凹凸をできるだけ少なくすることができるので、加熱室内の清掃も容易になる。
しかも、グリル皿は、他方の側壁部は一方の側壁部よりも高さが低いので、加熱室に供給された熱風が他方の側壁部によって遮断されることなくグリル皿上の調理物を熱風によって良好に焼くことができる。
【００１６】
また、グリル皿は、支持棚に載置される側壁部の高さが、フランジ部を支持棚に載置した状態でグリル皿の底面部の下面が加熱室の底面に近接して配置される高さとしたことで、加熱室の下壁にグリル皿の底面部が直接載置されることを阻止できるので、加熱室の下壁にグリル皿の擦れ跡が残ることを防止できる。
【００１７】
また、加熱室は、前後奥側となる後壁の左右に熱風が吹出す吹出孔を有する一方、グリル皿は、高さの低い側壁部の上縁両端部に、高さの高い側壁部の上縁上端部から連続して遮断壁部が起立形成されており、吹出孔から吹出す熱風は、高さの低い側の側壁部によって遮断されることなくグリル皿上の調理物に達するから、調理物をより適切に焼き上げることができる。一方で、高さの低い側壁部の上縁両側端部には、高さの高い側壁部の側縁上端部から連続して遮断壁部が起立形成されているため、上記熱風は、遮断壁部に当り、高さの高い側壁部の内壁面に支持されている調理物の端部には直接当たらない。これにより、調理物端部の焼け過ぎを防止できる。
【００１８】
また、上記加熱調理器において、加熱室は、前後の奥行きよりも左右方向の幅を長く形成し、グリル皿は、長辺部と短辺部を有する平面視矩形状の底面部と、この底面部の四方端縁部を囲むように底面部から上方に延びる長辺側壁部及び短辺側壁部とを備え、長辺側壁部が前後となるように加熱室内に配置され、短辺側壁部の高さが長辺側壁部の高さよりも高く形成することができる。
このような構成によれば、グリル皿の短辺側壁部の高さが長辺側壁部の高さよりも高いので、グリル皿上に底面部の長手方向にも収まりきれないような秋刀魚などの長尺な調理物を載せても、短辺側壁部の内壁面に調理物の端部を沿わせて支持させることによりグリル皿から調理物が食み出すのを防止して、調理物の端部が加熱室の壁面に接触しないようにすることができるし、グリル皿を加熱室から出し入れする際も、調理物が加熱室の壁面に接触することなく出し入れできる。その結果、グリル皿上に底面部長手方向に収まりきれない長尺な調理物を載置しても、グリル皿の出し入れが容易になると共に、調理物の焼き上がりもきれいにできる。
【発明の効果】
【００１９】
以上のように、本発明のグリル皿によれば、グリル皿上に底面部に収まりきれない調理物を載せても、高さの高い側の側壁部の内壁面に調理物の端部を沿わせて支持させることによりグリル皿から調理物が食み出すのを防止して、調理物の端部が加熱室の壁面に接触しないようにすることができるので、調理物を載置したグリル皿の出し入れが容易になると共に、調理物の焼き上がりもきれいにできる。
【００２０】
また、本発明の加熱調理器によれば、加熱室の支持棚にグリル皿の側壁部に形成したフランジ部を載せたときに、グリル皿の底面部は加熱室の底面に近接又は接触させた状態となるので、グリル皿の下方に熱気が流れるのを防止してグリル皿上の調理物の過熱を防止でき、オーブン皿によるオーブン調理とグリル皿によるグリル調理とを良好に行なうことができる。
さらに、２種類の皿を載置する支持棚を共通化できるので、誤使用を防止できるし、加熱室の壁面に形成される凹凸をできるだけ少なくすることができるので、加熱室内の清掃も容易になる。
【図面の簡単な説明】
【００２１】
【図１】本発明の実施形態における加熱調理器としてのグリル・オーブン装置を備えたガスコンロの全体を示す概略断面斜視図であって、加熱室にグリル皿を配置した状態を示す。
【図２】本発明の実施形態における加熱調理器としてのグリル・オーブン装置を備えたガスコンロの全体を示す概略断面斜視図であって、加熱室にオーブン皿を配置した状態を示す。
【図３】本発明の実施形態におけるグリル・オーブン装置の加熱室にグリル皿を配置した状態を示す加熱室の概略断面図である。
【図４】本発明の実施形態におけるグリル・オーブン装置の加熱室にオーブン皿を配置した状態を示す加熱室の概略断面図である。
【図５】本発明の実施形態におけるグリル・オーブン装置に用いるグリル皿の斜視図である。
【発明を実施するための形態】
【００２２】
以下、本発明に係るグリル皿及び加熱調理器の実施形態について添付図面を参照しながら説明する。図１及び図２は、本発明を実施するための形態の加熱調理器としてのグリル・オーブン装置２を備えたガスコンロ１の概略断面斜視図を示す。ガスコンロ１は、システムキッチンのカウンタートップ１０の開口に、コンロ本体１１が落とし込み状態で組み込まれるビルトイン式のものである。
【００２３】
このガスコンロ１に組み込まれるグリル・オーブン装置２は、カウンタートップ１０の下方に位置し、調理物を収容させる加熱室３と、その下方に設けられる発熱室４とを有する。なお、本明細書では、加熱室３の扉３１側と奥側とが対向する方向を前後方向、加熱室３の幅方向を左右方向、加熱室３の高さ方向を上下方向とする。
【００２４】
加熱室３は、コンロ本体１１の左寄りで横長に設けられており、前面パネルの扉３１を開閉することにより、加熱室３内に調理物を出し入れできるようになっている。加熱室３には、図１及び図３に示すようにグリル調理用の矩形状のグリル皿８を長手方向が左右方向となるように配置できるようになっている。さらに、加熱室３には、図２及び図４に示すようにオーブン調理用の矩形状のオーブン皿９も長手方向が左右方向となるように配置できるようになっている。グリル皿８とオーブン皿９とは、使用する調理方法に合わせて選択できるようになっている。
【００２５】
加熱室３は、天井部を構成する上壁３２と、下方の発熱室４と区画し加熱室３の底面となる下壁３３と、左右の側壁３４と、後方（奥側）の後壁３５とを有し、前面は扉３１によって前方に開放可能に閉塞されている。
【００２６】
図１及び図２に示すように、加熱室３の上壁３２の後方には、上壁３２の上方に形成される排気通路６１を介して排気口６２に連通する多数の排気孔３７が形成されている。
【００２７】
また、図３及び図４に示すように、加熱室３の後壁３５の左右両側には、熱風を加熱室３内に送り込むための多数の吹出孔３８が形成されている。後壁３５の中央には、加熱室３内の熱風を取り込むための多数の吸込孔３９が形成されている。後壁３５の吹出孔３８と吸込孔３９との間には、グリル皿８及びオーブン皿９の前後方向の位置決めとなる２つのストッパー３６が後壁３５の一部を加熱室３の内方に向けて膨出させて形成されている。これらストッパー３６にグリル皿８及びオーブン皿９の端部を当接させて位置決めを行なう。
【００２８】
加熱室３は、図３及び図４に示すように、左右の側壁３４の上下方向中間部、具体的には上下中間位置よりもやや下方に、グリル皿８及びオーブン皿９を支持するための支持棚３４ａが前後方向に延びるように形成されている。支持棚３４ａは、側壁３４の一部を加熱室３の内方に向けて平面の上面部３４ｂが形成されるように膨出させて形成している。
【００２９】
本実施形態では、加熱室３は、上壁３２及び左右の側壁３４の上部を構成する上部カバー２１と、下壁３３及び左右の側壁３４の下部を構成する下部カバー２２とを組み合わせて側壁３４を構成している。そして、上部カバー２１の下端部と下部カバー２２の上端部とを重ね合わせ、下部カバー２２の重複部分に支持棚３４ａを形成し、上部カバー２１の重複部分が補強部分となっている。
【００３０】
発熱室４は、加熱室３の下壁３３の真下に形成される天井壁４１と、天井壁４１の下方に対向配置される底面４２、左右側面、及び加熱室３の後壁３５の後方に形成する熱風通路４４に連続する後方傾斜面４３を備える。発熱室４内の後方には、ガス供給管（図示せず）を介してガスが供給されるガスバーナ５が配設されている。発熱室４は、前方を外部と連通させて、燃焼用空気（二次空気）が発熱室４内に取り込めるように構成されている。
【００３１】
図１及び図２に示すように、加熱室３の後壁３５の後方には、発熱室４で発生させた燃焼排ガスの熱気を熱風として加熱室３に循環させるための熱風通路４４が形成されている。熱風通路４４は、前方側が加熱室３の後壁３５に形成する吸込孔３９に連通し、後方側がさらに後方に形成する循環ファン７１が配置される熱風循環通路７２に連通し、下方が発熱室４の後部に連通するように区画して形成されている。
【００３２】
熱風通路４４の後方に形成される熱風循環通路７２は、熱風通路４４を水平方向に囲むようにＵ字状に形成されており、熱風通路４４と連通する中央部に循環ファン７１が配置され、Ｕ字両端部が加熱室３の吹出孔３８に連通している。
【００３３】
循環ファン７１は、後方に位置するモータ７３の回転軸の先端に固定されており、循環ファン７１を回転駆動させると、後壁３５に形成された吸込孔３９を介して吸い込まれる加熱室３内の熱風、及び下方の発熱室４で発生させた熱気による熱風が、熱風通路４４を通って熱風循環通路７２内に吸い込まれ、後壁３５の左右両側に形成された吹出孔３８から加熱室３内に送り出される。
【００３４】
また、循環ファン７１とモータ７３との間には、モータ７３の回転軸の軸方向中間部に固定された冷却ファン７４が配設されている。冷却ファン７４は、熱風循環通路７２及び排気通路６１と区画したファンケース内に収納されている。
【００３５】
本実施形態に係るグリル・オーブン装置２は、発熱室４で発生させた燃焼排ガスの熱気を、循環ファン７１の駆動により熱風となって熱風通路４４に送り込み、循環ファン７１が配設される熱風循環通路７２を通過して、後壁３５の左右両側に形成された吹出孔３８から加熱室３内に熱風が吹き出されるようになっている。
【００３６】
また、循環ファン７１の駆動により、加熱室３の後壁３５に設けられた吸込孔３９から加熱室３内の熱気が熱風通路４４を介して熱風循環通路７２内に吸引される。このとき、発熱室４から熱風通路４４を介して熱気が熱風循環通路７２内に吸引されるので、加熱室３内から吸引された熱気は発熱室４からの熱気で再加熱されて、循環ファン７１の左右に設けられた後壁３５の吹出孔３８から熱気が加熱室３内に噴出されて、熱気が循環される。
【００３７】
このように、グリル・オーブン装置２は、加熱調理時には、循環ファン７１によって発熱室４から熱風循環通路７２内に吸込まれる熱気と、加熱室３内の熱気とが混合されて、再度加熱室３内に排出される熱気の循環が行なわれる。熱気の循環を行なうことにより、加熱室３内の温度を急速に上昇させると共に、加熱室３内の温度を効率よく均一化することができ、加熱室３内に収容させた魚や肉等の調理物をグリル調理又はオーブン調理することができる。
【００３８】
また、発熱室４で発生した熱気が加熱室３内に供給され続けると、熱気によって加熱室３内の圧力が上昇し、加熱室３内を循環する熱気の一部が、上壁３２の排気孔３７を介して排気通路６１から外部に排出される。
【００３９】
加熱室３内に配置するグリル皿８は、魚などの調理物を高温で短時間で焼き上げるグリル調理を行なうために用いられる。
グリル皿８は、図１、図３及び図５に示すように、食材が載置される平面視略矩形状をした底面部８１と、この底面部８１の周囲に連続して上方に向けて延設される側壁部を備える。側壁部は、底面部８１の長辺部に形成される長辺側壁部８２と、底面部８１の短辺部に形成される短辺側壁部８３とを有する。
本実施形態では、グリル皿８は、図１及び図３に示すように、長辺側壁部８２が前後に位置するように、加熱室３内に配置するようになっている。
【００４０】
図１及び図３に示すように、グリル皿８の底面部８１は、上面側に、直線状に突出して形成された凸条部８４が等間隔で多数形成されている。凸条部８４に調理物を線接触させることにより、調理物のグリル皿８への接触面積を出来るだけ小さくして、調理物がグリル皿８の底面部８１に着き難くしている。さらに、グリル皿８の底面部８１は、凸条部８４の根元部分の表面を中央部が少し盛り上がるように傾斜して形成されており、調理物から出る油を底面部８１の周囲に流して溜めるようになっている。また、底面部８１の下面の外周縁の内側にテーブルなどに載置する際にテーブル面に接触する脚部８５が矩形状に形成されている。
【００４１】
グリル皿８の短辺側壁部８３と長辺側壁部８２とは、短辺側壁部８３の高さが長辺側壁部８２の高さよりも高くなるように形成されている。短辺側壁部８３及び長辺側壁部８２の上端部には、外側に向けて張り出すフランジ部８６が連続して形成されている。図３に示すように、短辺側壁部８３に形成するフランジ部８６の下面を加熱室３の側壁３４に形成した支持棚３４ａの上面部３４ｂに載置するようになっている。
【００４２】
そして、短辺側壁部８３と長辺側壁部８２とが連続する角部分であって、長辺側壁部８２における短辺側壁部８３と連続する部分には、上面が短辺側壁部８３に向かって上向きに傾斜し、長辺側壁部８２の高さが短辺側壁部８３に向かって徐々に高くなる遮断壁部８７が形成されている。遮断壁部８７は、グリル皿８を加熱室３の支持棚３４ａに載置した時に、加熱室３の後壁３５に形成する吹出孔３８の一部に対向するようになっており、遮断壁部８７によって吹出孔３８から吹出す熱風がグリル皿８上に載置された調理物の短辺側壁部８３の内壁面に支持されている部分に直接当らないように遮断するようになっている。例えば、秋刀魚のような長尺な魚の場合には、短辺側壁部８３の内壁面に沿って頭部や尾部が支持されるので、このような焦げ易い部分に直接熱風が当らないようにすることができ、調理物の端部の焼け過ぎを防止できる。
【００４３】
さらに、短辺側壁部８３は、フランジ部８６を支持棚３４ａに載置した時にグリル皿８の底面部８１の下面に形成した脚部８５の下端が加熱室３の下壁３３に近接して配置される高さを有する。グリル皿８は、短辺側壁部８３に形成するフランジ部８６を支持棚３４ａに載置させると、底面部８１の脚部８５が僅かな隙間を介して加熱室３の下壁３３に対向するように配置される。
【００４４】
従って、グリル皿８は、支持棚３４ａに支持された状態では、グリル皿８の底面部８１の下面に矩形状に形成された脚部８５と加熱室３の下壁３３との間に僅かな隙間が形成された状態となり、加熱室３の後壁３５の左右両側に形成された吹出孔３８から加熱室３内に送り出された熱風が脚部８５の下端からグリル皿８の底面部８１の下面中央側に入り込むことが殆どなく、グリル皿８の底面部８１が過熱されるのを防止できる。
【００４５】
また、グリル皿８を支持棚３４ａ上を滑らせながら加熱室３から出し入れする際に、底面部８１の脚部８５が加熱室３の下壁３３に接触することがないので、下壁３３に擦れ跡が残らない。
なお、底面部８１の脚部８５は加熱室３の下壁３３に接触するように配置するようにしてもよい。
【００４６】
本実施形態では、グリル皿８は、熱伝導率の良いアルミニウムの鋳造品、好ましくはダイカスト品にフッ素コーティングしたものを用いている。また、グリル皿８は、鉄、銅等の他の金属、陶器、ガラス等のセラミックから形成してもよい。
【００４７】
加熱室３内に配置するオーブン皿９は、肉、パン生地、クッキー生地などの調理物を時間をかけてじっくり焼き上げるオーブン調理を行なうために用いられる。
【００４８】
オーブン皿９は、鉄製であって、図２及び図４に示すように、食材が載置される平面視略矩形状をした底面部９１と、この底面部９１の周囲に連続して上方に向けて延設される側壁部９２とを備える。側壁部９２は、全周同じ高さに形成されている。
本実施形態では、オーブン皿９も、図２及び図４に示すように、長辺の側壁部９２が前後に位置するように、加熱室３内に配置するようになっている。
【００４９】
図２及び図４に示すように、オーブン皿９の底面部９１は、中央部がやや盛り上がった状態の平面に形成され、周囲に溝部９３が形成されている。調理物から出る油は、底面部９１の緩やかな傾斜面に沿って流れて溝部９３に溜まるようになっている。また、底面部９１の下面側は、溝部９３が下方に突出した状態となって、この溝部９３の突出部分がテーブルなどに載置する際にテーブル面に接触するようになっている。
【００５０】
側壁部９２の上端部は、外側に向けて張り出すフランジ部９４が連続して形成されている。フランジ部９４の外周部は下方に向けて曲げられ、さらに下端が丸くなるように湾曲されて湾曲部９５が形成されている。図４に示すように、フランジ部９４の湾曲部９５のうち、短辺側の側壁部９２に形成する湾曲部９５を加熱室３の支持棚３４ａの上面部３４ｂに載置するようになっている。
【００５１】
オーブン皿９は、側壁部９２の高さが、フランジ部９４の湾曲部９５を支持棚３４ａに載置させると、加熱室３の上下中間位置に配置された状態になる高さとしている。従って、オーブン皿９は、支持棚３４ａに支持された状態では、オーブン皿９の底面部９１の下方側にも十分な空間が形成され、加熱室３の後壁３５の左右両側に形成された吹出孔３８から加熱室３内に送り出された熱風がオーブン皿９の底面部９１の下面側にも入り込んで、オーブン皿９上の調理物を上下から均一に加熱することができる。
【００５２】
尚、加熱室３の扉３１は、下部を支点として、上部を前方に揺動させることにより加熱室３は開放可能となっている。
扉３１を前方（手前）に回動して開けると、加熱室３内にグリル皿８又はオーブン皿９を出し入れできる構成となっている。調理物が載置されたグリル皿８又はオーブン皿９を加熱室３内に配置した後、扉３１を締めることによって調理物が加熱室３内に収容された状態となる。
【００５３】
以上、本実施形態に係るグリル・オーブン装置２によれば、グリル皿８は、短辺側壁部８３の高さが長辺側壁部８２の高さよりも高くなるように形成しているので、秋刀魚のようなグリル皿８の底面部８１の長手方向の長さよりも長い魚をグリル皿８に載置したときに、魚を短辺側壁部８３に沿わして弓状に反らすことができて、魚がグリル皿８から食み出すことを防止して、調理物の端部が加熱室３の側壁３４に接触しないようにすることができるし、グリル皿８を加熱室３から出し入れする際も、調理物が加熱室３の側壁３４に接触することなく出し入れできる。
【００５４】
その結果、底面部８１の長手方向にも収まりきれないような秋刀魚などの長尺な調理物が載置されたグリル皿８を加熱室３内に入れても、魚の一部である尾びれが、加熱室３の側壁３４に張り付くことが無く、調理物を載置したグリル皿８を加熱室３から出し入れする際に調理物が前後に動くのを防止できて、グリル皿の出し入れが容易になる。そして、魚の一部が加熱室３の側壁３４に焦げ付くことを防止して、調理物の焼き上がりもきれいにできる。
【００５５】
さらに、本実施形態に係るグリル・オーブン装置２は、グリル調理用のグリル皿８とオーブン調理用のオーブン皿９とを各調理方法に合わせて、材質が異なるものを個別に用意しているが、グリル皿８とオーブン皿９を載置する加熱室３の支持棚３４ａを共通化できるので、加熱室３内の清掃が用意となるばかりか、皿の誤使用の心配も無くなる。
【００５６】
また、グリル皿８は、高さの高い短辺側壁部８３のフランジ部８６を加熱室３の支持棚３４ａに載置して、グリル皿８の底面部８１の位置を加熱室３の下壁３３の近くに配置させるようにしたので、グリル皿８の下面側に熱気が流れるのを防止して、グリル皿８上の調理物の過熱を防止できるし、加熱室３の下壁３３に直接載置することを阻止できるので、加熱室３の下壁３３にグリル皿８の擦れ跡が残ることを防止できる。
【００５７】
さらに、長辺側壁部８２は短辺側壁部８３よりも高さが低いので、加熱室３に供給された熱風が長辺側壁部８２によって遮断されることなくグリル皿８上の調理物を熱風によって良好に焼くことができる。しかも、少しの熱風でも過熱され易い魚の頭部と尾部は、短辺側壁部８３の内壁面に支持されて長辺側壁部８２の中央部の高さよりも高い位置になっても、長辺側壁部８２の遮断壁部８７によって吹出孔３８から吹出す熱風が遮断されて直接当らないので、頭部や尾部も過熱されることなく良好に加熱できる。
【００５８】
上記実施形態では、グリル皿は、平面視矩形(長方形)の物を使用したが、平面視正方形のグリル皿も本発明のグリル皿に適用でき、平面視正方形のグリル皿及びオーブン皿は、本発明の加熱調理器に適用できる。
【００５９】
なお、上記実施形態では加熱室として、ガスバーナを燃焼させて発生させた熱気を循環させるコンベクションタイプの加熱調理器について説明したが、熱気を循環させる機能と共に、加熱室の上壁に別途電気ヒータ又はガスバーナを配置して、調理物を直接加熱するグリル部を備えるコンベクションタイプの加熱調理器にも本発明を適用できる。
【００６０】
さらに、上記実施形態のガスコンロは、グリル・オーブン装置の加熱室を左右方向に長くなるように形成したが、前後方向に長く形成した加熱室を有するグリル・オーブン装置にも、本発明を適用できる。この場合、加熱室の後方から熱風が吹き出る場合には、熱風が効率よく流れるように、グリル皿は、長辺側壁部の高さが短辺側壁部の高さよりも高くなるように形成して、長辺側壁部に形成したフランジ部を加熱室の支持棚に支持させる。
【００６１】
長辺側壁部の高さを高くする場合には、グリル皿の底面部における短辺の長さよりもやや長い魚を多数焼く時に、長辺側壁部に魚の頭部及び尾部を支持させるように配列させることで、魚の一部がグリル皿から食み出すことなく、多数の魚を一度に焼くことが可能となる。この場合、短辺側壁部の両端部に遮断壁部を形成することにより、長辺側壁部に支持されている頭部や尾部の焼けすぎを防止できる。
【００６２】
また、上記実施形態では、発熱部としてガスバーナを用いたが電気ヒータを用いることもできる。さらに、本発明のグリル皿は、オーブン機能のないグリル装置にも適用でき、その場合も、平面視が長方形のグリル皿だけでなく、平面視正方形のグリル皿も本発明に適用できる。
【符号の説明】
【００６３】
１  ガスコンロ
２  グリル・オーブン装置
３  加熱室
４  発熱室
５  ガスバーナ（発熱部）
８  グリル皿
９  オーブン皿
１０  カウンタートップ
３１  扉
３２  上壁
３３  下壁
３４  側壁
３４ａ  支持棚
３４ｂ  上面部
３５  後壁
３７  排気孔
３８  吹出孔
３９  吸込孔
７１  循環ファン
８１  底面部
８２  長辺側壁部
８３  短辺側壁部
８６  フランジ部
８７  遮断壁部
【図１】
0005896979.tif 000002
【図２】
0005896979.tif 000003
【図３】
0005896979.tif 000004
【図４】
0005896979.tif 000005
【図５】
0005896979.tif 000006